(57)【要約】【課題】運用時において、ＯＮＵから送信される光信号の信号強度の最適化を図ることができるＰＯＮシステムを得ることを目的とする。【解決手段】ＯＬＴ１が所定時間以上の光信号の連続送信をＯＮＵ４に許可し、信号強度測定部１６がＯＮＵ４から送信された光信号の信号強度を測定すると、補正値作成部１７が信号強度測定部１６により測定された光信号の信号強度に応じて送信レベルの補正値を生成し、ＯＮＵ４が当該補正値にしたがって光信号の送信レベルを調整するように構成する。【選択図】図１
2007325010.tif 000002
【特許請求の範囲】
【請求項１】
加入者線終端装置と通信端末が光ファイバを用いて接続されているＰＯＮシステムにおいて、上記加入者線終端装置が、所定時間以上の光信号の連続送信を上記通信端末に許可し、上記通信端末から送信された光信号の信号強度を測定する信号強度測定手段と、上記信号強度測定手段により測定された光信号の信号強度に応じて送信レベルの補正値を生成する補正値生成手段と、上記補正値生成手段により生成された補正値を上記通信端末に通知する補正値通知手段とを設け、上記通信端末が上記加入者線終端装置から通知された補正値にしたがって光信号の送信レベルを調整する送信レベル調整手段を設けていることを特徴とするＰＯＮシステム。
【請求項２】
加入者線終端装置の信号強度測定手段は、所定時間以上の光信号の連続送信を通信端末に許可し、上記通信端末から所定時間以上連続して光信号が送信されてくると、上記光信号の信号強度を測定することを特徴とする請求項１記載のＰＯＮシステム。
【請求項３】
加入者線終端装置の信号強度測定手段は、加入者線終端装置側で信号強度の測定周期が設定されている場合、ある測定周期内で、通信端末から所定時間以上連続している光信号が複数回送信されてきても、測定周期内の最初の光信号の信号強度のみを測定することを特徴とする請求項２記載のＰＯＮシステム。
【発明の詳細な説明】
【技術分野】
【０００１】
この発明は、１台の加入者線終端装置（以下、「ＯＬＴ」と称する）とＮ台の通信端末（以下、「ＯＮＵ」と称する）が光ファイバを用いて接続され、そのＯＬＴとＯＮＵが光信号を送受信するＰＯＮ（Ｐａｓｓｉｖｅ  Ｏｐｔｉｃａｌ  Ｎｅｔｗｏｒｋ）システムに関するものである。
【背景技術】
【０００２】
ＰＯＮシステムにおいては、ＯＮＵの光モジュールの出力パワーが固定化されており、ＯＮＵの個数やＯＬＴとＯＮＵ間の距離に対して、その条件を満足するスペックが規定されている。
したがって、ＰＯＮシステムは、そのスペックの範囲内での運用を実現する必要があるが、ＯＮＵの光モジュールの特性のばらつきなどがあると、そのスペックの範囲内での運用を実現することができないことがある。
そこで、従来のＰＯＮシステムでは、ＯＮＵの製品検査時において、ＯＮＵの光モジュールの特性が適正であるか否かを検査するようにしている。
これにより、不良のＯＮＵの出荷を防止することができるが、運用時において、例えば、伝送路の状態変化や経年劣化などの影響を受けることにより、スペックの範囲内での運用を実現することができないことがある。
【０００３】
なお、以下の特許文献１には、ＰＯＮシステムではなく、一般的な光伝送システムに関する技術であるが、光チャネルの伝送特性をリアルタイムで最適化する技術が開示されている。
即ち、受信ノードは、送信ノードから送信された光信号を受信すると、その光信号の損傷度合いを測定し、その損傷度合いを示す制御メッセージを送信ノードに送信する。
送信ノードは、受信ノードから制御メッセージを受信すると、その制御メッセージが示す損傷度合いに応じて、光チャネルの光源における減衰具合を調整する。
これにより、送信ノードから送信される光信号の信号強度を最適化することができるが、ＰＯＮシステムでは、ＯＬＴにより光信号の送信が許可されたＯＮＵが光信号をバースト的に送信するものであり、ＯＬＴがＯＮＵから送信された光信号の信号強度を常時測定することができるものではないので、以下の特許文献１に開示されている技術を単にＰＯＮシステムに適用しても、ＯＮＵから送信される光信号の信号強度を調整することはできない。
【０００４】
【特許文献１】特開２００１−２９８４１７号公報（段落番号［０００４］、図２）
【発明の開示】
【発明が解決しようとする課題】
【０００５】
従来のＰＯＮシステムは以上のように構成されているので、ＯＮＵの製品検査時において、ＯＮＵの光モジュールの特性がスペックの範囲内にあるか否かを検査するようにしているが、運用時において、例えば、伝送路の状態変化や経年劣化などの影響を受けることにより、スペックの範囲内での運用を実現することができなくなっても、ＯＮＵから送信される光信号の信号強度を調整することができないなどの課題があった。
【０００６】
この発明は上記のような課題を解決するためになされたもので、運用時において、ＯＮＵから送信される光信号の信号強度の最適化を図ることができるＰＯＮシステムを得ることを目的とする。
【課題を解決するための手段】
【０００７】
この発明に係るＰＯＮシステムは、加入者線終端装置が、所定時間以上の光信号の連続送信を通信端末に許可し、その通信端末から送信された光信号の信号強度を測定する信号強度測定手段と、その信号強度測定手段により測定された光信号の信号強度に応じて送信レベルの補正値を生成する補正値生成手段と、その補正値生成手段により生成された補正値を通信端末に通知する補正値通知手段とを設け、通信端末が加入者線終端装置から通知された補正値にしたがって光信号の送信レベルを調整するようにしたものである。
【発明の効果】
【０００８】
この発明によれば、加入者線終端装置が、所定時間以上の光信号の連続送信を通信端末に許可し、その通信端末から送信された光信号の信号強度を測定する信号強度測定手段と、その信号強度測定手段により測定された光信号の信号強度に応じて送信レベルの補正値を生成する補正値生成手段と、その補正値生成手段により生成された補正値を通信端末に通知する補正値通知手段とを設け、通信端末が加入者線終端装置から通知された補正値にしたがって光信号の送信レベルを調整するように構成したので、運用時において、通信端末から送信される光信号の信号強度の最適化を図ることができる効果がある。
【発明を実施するための最良の形態】
【０００９】
実施の形態１．
図１はこの発明の実施の形態１によるＰＯＮシステムを示す構成図であり、図において、加入者線終端装置であるＯＬＴ１は光ファイバ２及び光カプラ３を介して、ｎ個の通信端末であるＯＮＵ４と接続されており、ＯＬＴ１は、ｎ個のＯＮＵ４の中のいずれかのＯＮＵ４に対して光信号の送信を許可し、当該ＯＮＵ４から送信される光信号を受信する処理のほか、当該ＯＮＵ４から送信される光信号の信号強度を制御するなどの処理を実施する。
ｎ個のＯＮＵ４は光ファイバ２及び光カプラ３を介してＯＬＴ１と接続されており、ＯＬＴ１から光信号の送信許可を受けると、光信号をＯＬＴ１に送信する処理のほか、ＯＬＴ１の指示の下、ＯＬＴ１に送信する光信号の信号強度を調整するなどの処理を実施する。
【００１０】
図２はこの発明の実施の形態１によるＰＯＮシステムのＯＮＵ及びＯＬＴの内部を示す構成図であり、図において、ＯＬＴ１のＰＯＮプロトコル制御部１１はＰＯＮプロトコルの制御を実施する処理部であり、ＰＯＮプロトコル制御部１１はｎ個のＯＮＵ４の中のいずれかのＯＮＵ４から送信される光信号の信号強度を測定する際、所定時間以上の光信号の連続送信を許可する旨を示すＯＡＭ制御信号をユーザ／ＯＡＭパケット挿入部１２に出力するとともに、信号強度の測定指令を信号強度測定部１６に出力するなどの処理を実施する。
ＯＬＴ１のユーザ／ＯＡＭパケット挿入部１２はＰＯＮプロトコル制御部１１から出力されたＯＡＭ制御信号や、後述する補正値作成部１７により作成された補正値を下りのユーザデータに多重化し、多重化信号であるユーザ／ＯＡＭパケットを生成する処理を実施する。
ＯＬＴ１のＥ／Ｏ変換部１３はユーザ／ＯＡＭパケット挿入部１２により生成されたユーザ／ＯＡＭパケットを電気信号から光信号に変換して、その光信号をＯＮＵ４に送信する処理を実施する。
【００１１】
ＯＬＴ１のＯ／Ｅ変換部１４はＯＮＵ４から送信された光信号を電気信号に変換し、その電気信号であるユーザ／ＯＡＭパケットをユーザ／ＯＡＭパケット分離部１５に出力する処理を実施する。
ＯＬＴ１のユーザ／ＯＡＭパケット分離部１５はＯ／Ｅ変換部１４から出力されたユーザ／ＯＡＭパケットに含まれている上りのユーザデータを外部出力するとともに、ユーザ／ＯＡＭパケットに含まれているＯＡＭ制御信号をＰＯＮプロトコル制御部１１に出力する処理を実施する。
【００１２】
ＯＬＴ１の信号強度測定部１６はＯＮＵ４から送信された光信号の信号強度を測定する処理を実施する。
ＯＬＴ１の補正値作成部１７は信号強度測定部１６により測定された光信号の信号強度に応じて送信レベルの補正値を生成し、その補正値をユーザ／ＯＡＭパケット挿入部１２に出力する処理を実施する。
なお、ＰＯＮプロトコル制御部１１、ユーザ／ＯＡＭパケット挿入部１２、Ｅ／Ｏ変換部１３及び信号強度測定部１６から信号強度測定手段が構成されている。
また、補正値作成部１７から補正値生成手段が構成されており、ユーザ／ＯＡＭパケット挿入部１２及びＥ／Ｏ変換部１３から補正値通知手段が構成されている。
【００１３】
ＯＮＵ４のＯ／Ｅ変換部２１はＯＬＴ１から送信された光信号を電気信号に変換し、その電気信号であるユーザ／ＯＡＭパケットをユーザ／ＯＡＭパケット分離部２２に出力する処理を実施する。
ＯＮＵ４のユーザ／ＯＡＭパケット分離部２２はＯ／Ｅ変換部２１から出力されたユーザ／ＯＡＭパケットに含まれている下りのユーザデータを外部出力するとともに、ユーザ／ＯＡＭパケットに含まれているＯＡＭ制御信号をＰＯＮプロトコル制御部２３に出力し、また、ユーザ／ＯＡＭパケットに含まれている補正値を送信レベル調整部２５に出力する処理を実施する。
【００１４】
ＯＮＵ４のＰＯＮプロトコル制御部２３は例えばユーザ／ＯＡＭパケット分離部２２から出力されたＯＡＭ制御信号にしたがってＰＯＮプロトコルの制御を実施する処理部である。
ＯＮＵ４のユーザ／ＯＡＭパケット挿入部２４はＰＯＮプロトコル制御部１１の指示の下、上りのユーザデータなどを含むユーザ／ＯＡＭパケットを生成する処理を実施する。
【００１５】
ＯＮＵ４の送信レベル調整部２５はユーザ／ＯＡＭパケット分離部２２から出力された補正値にしたがってＥ／Ｏ変換部２６から出力される光信号の送信レベルを調整する処理を実施する。
ＯＮＵ４のＥ／Ｏ変換部２６はユーザ／ＯＡＭパケット挿入部２４により生成されたユーザ／ＯＡＭパケットを電気信号から光信号に変換して、その光信号をＯＬＴ１に送信する処理を実施する。
なお、Ｏ／Ｅ変換部２１、ユーザ／ＯＡＭパケット分離部２２、送信レベル調整部２５及びＥ／Ｏ変換部２６から送信レベル調整手段が構成されている。
図３はＯＬＴ１による信号強度の測定処理を示すシーケンス図である。
【００１６】
次に動作について説明する。
ＯＬＴ１がｎ個のＯＮＵ４の中のいずれかのＯＮＵ４に対して光信号の送信許可を指示する場合、ＯＬＴ１のＰＯＮプロトコル制御部１１が光信号の送信許可（以下、「送信許可Ａ」と称する）を示すＯＡＭ制御信号をユーザ／ＯＡＭパケット挿入部１２に出力する。
また、ＯＬＴ１がｎ個のＯＮＵ４の中のいずれかのＯＮＵ４から送信される光信号の信号強度を測定する場合、ＯＬＴ１のＰＯＮプロトコル制御部１１が所定時間以上の光信号の連続送信許可（以下、「送信許可Ｂ」と称する）を示すＯＡＭ制御信号をユーザ／ＯＡＭパケット挿入部１２に出力する。
この際、ＯＬＴ１のＰＯＮプロトコル制御部１１は、信号強度の測定指令を信号強度測定部１６に出力する。
【００１７】
ＯＬＴ１のユーザ／ＯＡＭパケット挿入部１２は、ＰＯＮプロトコル制御部１１からＯＡＭ制御信号を受けると、そのＯＡＭ制御信号を下りのユーザデータに多重化し、多重化信号であるユーザ／ＯＡＭパケットを生成する。
ＯＬＴ１のＥ／Ｏ変換部１３は、ユーザ／ＯＡＭパケット挿入部１２がユーザ／ＯＡＭパケットを生成すると、そのユーザ／ＯＡＭパケットを電気信号から光信号に変換し、図３に示すように、その光信号（送信許可Ａ、または、送信許可Ｂ）をＯＮＵ４に送信する。
【００１８】
ＯＮＵ４のＯ／Ｅ変換部２１は、ＯＬＴ１から送信された光信号を受信すると、その光信号を電気信号に変換し、その電気信号であるユーザ／ＯＡＭパケットをユーザ／ＯＡＭパケット分離部２２に出力する。
ＯＮＵ４のユーザ／ＯＡＭパケット分離部２２は、Ｏ／Ｅ変換部２１からユーザ／ＯＡＭパケットを受けると、そのユーザ／ＯＡＭパケットに含まれている下りのユーザデータを外部出力するとともに、ユーザ／ＯＡＭパケットに含まれているＯＡＭ制御信号をＰＯＮプロトコル制御部２３に出力する。
【００１９】
ＯＮＵ４のＰＯＮプロトコル制御部２３は、ユーザ／ＯＡＭパケット分離部２２からＯＡＭ制御信号を受けると、そのＯＡＭ制御信号が送信許可Ａを示す信号であれば、上りのユーザデータの送信指令Ｘをユーザ／ＯＡＭパケット挿入部２４に出力する。
一方、そのＯＡＭ制御信号が送信許可Ｂを示す信号であれば、上りのユーザデータ又は所定のダミーデータの一定時間以上の連続送信指令Ｙをユーザ／ＯＡＭパケット挿入部２４に出力する。
【００２０】
ＯＮＵ４のユーザ／ＯＡＭパケット挿入部２４は、ＰＯＮプロトコル制御部２３から送信指令Ｘを受けると、上りのユーザデータを含むユーザ／ＯＡＭパケットを生成し、そのユーザ／ＯＡＭパケットをＥ／Ｏ変換部２６に出力する。
ＯＮＵ４のユーザ／ＯＡＭパケット挿入部２４は、ＰＯＮプロトコル制御部２３から一定時間以上の連続送信指令Ｙを受けると、上りのユーザデータ又は所定のダミーデータを含むユーザ／ＯＡＭパケットを生成し、そのユーザ／ＯＡＭパケットをＥ／Ｏ変換部２６に出力する。
なお、ＰＯＮプロトコル制御部２３から一定時間以上の連続送信指令Ｙを受けたとき、ユーザ／ＯＡＭパケット挿入部２４により生成されるユーザ／ＯＡＭパケットは、ＯＬＴ１における信号強度の測定を可能にするため、信号強度の測定に最低限必要な時間より長い時間送信されるパケット長を有している。したがって、ＯＬＴ１から送信許可Ａを示すＯＡＭ制御信号が送信されて生成する場合のユーザ／ＯＡＭパケットよりパケット長が長いユーザ／ＯＡＭパケットを生成する。
ＯＮＵ４のＥ／Ｏ変換部２６は、ユーザ／ＯＡＭパケット挿入部２４からユーザ／ＯＡＭパケットを受けると、そのユーザ／ＯＡＭパケットを電気信号から光信号に変換し、図３に示すように、その光信号をＯＬＴ１に送信する。
【００２１】
ＯＬＴ１のＯ／Ｅ変換部１４は、ＯＮＵ４から送信された光信号を受信すると、その光信号を電気信号に変換し、その電気信号であるユーザ／ＯＡＭパケットをユーザ／ＯＡＭパケット分離部１５に出力する。
ＯＬＴ１のユーザ／ＯＡＭパケット分離部１５は、Ｏ／Ｅ変換部１４からユーザ／ＯＡＭパケットを受けると、そのユーザ／ＯＡＭパケットに含まれている上りのユーザデータ又はダミーデータを外部出力する。
【００２２】
ＯＬＴ１の信号強度測定部１６は、ＰＯＮプロトコル制御部１１から信号強度の測定指令を受けている場合（送信許可Ｂが送信されている場合）、ＯＮＵ４から送信された光信号の信号強度を測定する。
送信許可Ｂが送信されている場合、所定時間以上連続して光信号が送信されているので、その光信号の信号強度を測定することができる。
ＯＬＴ１の補正値作成部１７は、信号強度測定部１６が光信号の信号強度を測定すると、その光信号の信号強度に応じて送信レベルの補正値を生成し、その補正値をユーザ／ＯＡＭパケット挿入部１２に出力する。
例えば、光信号の信号強度が基準の信号強度より低ければ、光信号の送信レベルを基準の信号強度まで高める補正値を生成する。また、光信号の信号強度が基準の信号強度より高ければ、光信号の送信レベルを基準の信号強度まで下げる補正値を生成する。
【００２３】
ＯＬＴ１のユーザ／ＯＡＭパケット挿入部１２は、ＯＬＴ１の補正値作成部１７から補正値を受けると、その補正値を下りのユーザデータに多重化し、多重化信号であるユーザ／ＯＡＭパケットを生成する。
ＯＬＴ１のＥ／Ｏ変換部１３は、ユーザ／ＯＡＭパケット挿入部１２がユーザ／ＯＡＭパケットを生成すると、そのユーザ／ＯＡＭパケットを電気信号から光信号に変換し、その光信号をＯＮＵ４に送信する。図３では、この光信号を“制御”と記載している。
【００２４】
ＯＮＵ４のＯ／Ｅ変換部２１は、ＯＬＴ１から送信された光信号を受信すると、その光信号を電気信号に変換し、その電気信号であるユーザ／ＯＡＭパケットをユーザ／ＯＡＭパケット分離部２２に出力する。
ＯＮＵ４のユーザ／ＯＡＭパケット分離部２２は、Ｏ／Ｅ変換部２１からユーザ／ＯＡＭパケットを受けると、そのユーザ／ＯＡＭパケットに含まれている下りのユーザデータを外部出力するとともに、ユーザ／ＯＡＭパケットに含まれている補正値を送信レベル調整部２５に出力する。
【００２５】
ＯＮＵ４の送信レベル調整部２５は、ユーザ／ＯＡＭパケット分離部２２から補正値を受けると、その補正値にしたがってＥ／Ｏ変換部２６から出力される光信号の送信レベルを調整する。
以降、ＯＮＵ４のＥ／Ｏ変換部２６は、ユーザ／ＯＡＭパケット挿入部２４からユーザ／ＯＡＭパケットを受けると、そのユーザ／ＯＡＭパケットを電気信号から光信号に変換して送信する際、送信レベル調整部２５により調整された送信レベルの光信号をＯＬＴ１に送信する。
【００２６】
以上で明らかなように、この実施の形態１によれば、ＯＬＴ１が所定時間以上の光信号の連続送信をＯＮＵ４に許可し、信号強度測定部１６がＯＮＵ４から送信された光信号の信号強度を測定すると、補正値作成部１７が信号強度測定部１６により測定された光信号の信号強度に応じて送信レベルの補正値を生成し、ＯＮＵ４が当該補正値にしたがって光信号の送信レベルを調整するように構成したので、運用時において、ＯＮＵ４から送信される光信号の信号強度の最適化を図ることができる効果を奏する。
【００２７】
実施の形態２．
上記実施の形態１では、ＯＬＴ１が所定時間以上の光信号の連続送信をＯＮＵ４に許可し、信号強度測定部１６がＯＮＵ４から所定時間以上連続して光信号が送信されてくると、その光信号の信号強度を測定するものについて示したが、ＯＬＴ１において、信号強度の測定周期が設定されている場合、図４に示すように、ある測定周期内で、ＯＮＵ４から所定時間以上連続している光信号が複数回送信されてきても、測定周期内の最初の光信号の信号強度のみを測定するようにしてもよい。
通常、信号強度の測定周期は、測定周期内で１回測定すれば十分な間隔で設定されるので、２回以上、光信号の信号強度を測定する必要性はない。
したがって、この実施の形態２によれば、信号強度の無駄な測定処理を排除することができる効果を奏する。
【図面の簡単な説明】
【００２８】
【図１】この発明の実施の形態１によるＰＯＮシステムを示す構成図である。
【図２】この発明の実施の形態１によるＰＯＮシステムのＯＮＵ及びＯＬＴの内部を示す構成図である。
【図３】ＯＬＴによる信号強度の測定処理を示すシーケンス図である。
【図４】ＯＬＴによる信号強度の測定処理を示すシーケンス図である。
【符号の説明】
【００２９】
１  ＯＬＴ（加入者線終端装置）、２  光ファイバ、３  光カプラ、４  ＯＮＵ（通信端末）、１１  ＰＯＮプロトコル制御部（信号強度測定手段）、１２  ユーザ／ＯＡＭパケット挿入部（信号強度測定手段、補正値通知手段）、１３  Ｅ／Ｏ変換部（信号強度測定手段、補正値通知手段）、１４  Ｏ／Ｅ変換部、１５  ユーザ／ＯＡＭパケット分離部、１６  信号強度測定部（信号強度測定手段）、１７  補正値作成部（補正値生成手段）、２１  Ｏ／Ｅ変換部（送信レベル調整手段）、２２  ユーザ／ＯＡＭパケット分離部（送信レベル調整手段）、２３  ＰＯＮプロトコル制御部、２４  ユーザ／ＯＡＭパケット挿入部、２５  送信レベル調整部（送信レベル調整手段）、２６  Ｅ／Ｏ変換部（送信レベル調整手段）。
【図１】
2007325010.tif 000003
【図２】
2007325010.tif 000004
【図３】
2007325010.tif 000005
【図４】
2007325010.tif 000006